(57)【要約】【課題】ディスプレイウィンドウが設けられ、収容された物品は梱包容器内で固定されるカートンを提供する。【解決手段】複数の物品を梱包するためのカートンは、頂部パネル、底部パネル、第１側壁部パネル、及び第２側壁部パネルを含む複数のパネルを備える。複数のパネルの内の第１パネルは、ディスプレイウィンドウを有する。ディスプレイウィンドウは、それを通じて物品を収容し且つ供覧するための開口を備える。カートンは、ディスプレイウィンドウ内で供覧される物品を固定するための、少なくとも１つの固定機構を含む。少なくとも１つの固定機構は、複数のパネルの内の第２パネルにヒンジ式に結合された係止タブを有する。複数のパネルの内の第２パネルは、複数のパネルの内の第１パネルに隣接するように配置される。係止タブは、カートンの内側へ折り曲げ可能であり、物品の一部を係合するための係合縁部を有する。【選択図】図１
2015058968.tif 000002
【特許請求の範囲】
【請求項１】
複数の物品を梱包するためのカートンであって、前記カートンは、頂部パネル、底部パネル、第１側壁部パネル、及び第２側壁部パネルを含む複数のパネルを備え、
前記複数のパネルの内の第１パネルは、ディスプレイウィンドウを備え、
前記ディスプレイウィンドウは、それを通じて物品を収容し且つ供覧するための開口を備え、
前記カートンは、前記ディスプレイウィンドウ内で供覧される物品を固定するための少なくとも１つの固定機構をさらに備え、
前記少なくとも１つの固定機構は、前記複数のパネルの内の第２パネルにヒンジ式に結合された係止タブを備え、前記複数のパネルの内の前記第２パネルは、前記複数のパネルの内の前記第１パネルに隣接するように配置され、
前記係止タブは、前記カートンの内側へ折り曲げ可能であり、且つ、前記物品の一部を係合するための係合縁部を備えることを特徴とするカートン。
【請求項２】
前記複数のパネルの内の前記第１パネルは、前記カートンの前記第１側部パネル及び前記第２側部パネルの何れか一方であることを特徴とする、請求項１に記載のカートン。
【請求項３】
前記係止タブは、前記複数のパネルの内の前記第２パネルから少なくとも部分的に打ち抜かれていることを特徴とする、請求項１に記載のカートン。
【請求項４】
前記複数のパネルは管状構造体を画成し、前記管状構造体の両端は開かれており、前記管状構造体は管軸を有することを特徴とする、請求項１に記載のカートン。
【請求項５】
前記少なくとも１つの固定機構の前記係止タブは、折目線で前記複数のパネルの内の前記第２パネルにヒンジ式に結合され、前記折目線は、前記係止タブが前記管軸に対して横方向に折り曲げ可能なように、前記管状構造体の前記管軸と実質的に平行に方向付けられていることを特徴とする、請求項４に記載のカートン。
【請求項６】
前記開口は、前記複数のパネルの内の前記第１パネルに、少なくとも部分的に画定されていることを特徴とする、請求項１に記載のカートン。
【請求項７】
前記開口は、前記複数のパネルの内の前記第１パネルから打ち抜かれた第１ウィンドウフラップによって、少なくとも部分的に画定されており、前記第１ウィンドウフラップは、前記複数のパネルの内の前記第１パネルにヒンジ式に結合されていることを特徴とする、請求項１に記載のカートン。
【請求項８】
前記第１ウィンドウフラップはヒンジ縁部を備え、前記第１ウィンドウフラップは、前記ヒンジ縁部に沿って前記複数のパネルの内の前記第１パネルにヒンジ式に結合されており、前記ヒンジ縁部は前記開口の第１縁部を画定することを特徴とする、請求項７に記載のカートン。
【請求項９】
前記第１ウィンドウフラップは、前記ヒンジ縁部と反対側に配置された自由縁部をさらに備えることを特徴とする、請求項８に記載のカートン。
【請求項１０】
前記開口は、前記複数のパネルの内の前記第１パネルから打ち抜かれた第２ウィンドウフラップによって、部分的に画定され、前記第２ウィンドウフラップは、前記複数のパネルの内の前記第１パネルにヒンジ式に結合されており、前記第２ウィンドウフラップは、前記第１ウィンドウフラップの反対側の位置に配置されていることを特徴とする、請求項８に記載のカートン。
【請求項１１】
前記第２ウィンドウフラップはヒンジ縁部を備え、前記第２ウィンドウフラップは、前記ヒンジ縁部に沿って前記複数のパネルの内の前記第１パネルにヒンジ式に結合されており、前記第２ウィンドウフラップの前記ヒンジ縁部は前記開口の第２縁部を画定し、前記開口の前記第２縁部は、前記開口の前記第１縁部の反対側にあることを特徴とする、請求項１０に記載のカートン。
【請求項１２】
前記第２ウィンドウフラップは、前記第２ウィンドウフラップの前記ヒンジ縁部と反対側に配置された自由縁部を備えることを特徴とする、請求項１１に記載のカートン。
【請求項１３】
前記開口は、前記少なくとも１つの固定機構の前記係止タブによって、部分的に確定されることを特徴とする、請求項１に記載のカートン。
【請求項１４】
前記少なくとも１つの固定機構の前記係止タブは、前記ディスプレイウィンドウの前記開口を通じて、前記カートンの内側へ折り曲げ可能であることを特徴とする、請求項１３に記載のカートン。
【請求項１５】
前記少なくとも１つの固定機構の前記係止タブは、前記複数のパネルの内の前記第２パネルから少なくとも部分的に打ち抜かれていることを特徴とする、請求項１１に記載のカートン。
【請求項１６】
前記少なくとも１つの固定機構の前記係止タブは、前記複数のパネルの内の前記第２パネルから部分的に打ち抜かれており、且つ前記複数のパネルの内の前記第１パネルから部分的に打ち抜かれていることを特徴とする、請求項１に記載のカートン。
【請求項１７】
カートンを形成するためのブランクであって、前記ブランクは、頂部パネル、底部パネル、第１側壁部パネル、及び第２側壁部パネルを含む複数のパネルを備え、
前記複数のパネルの内の第１パネルは、ディスプレイウィンドウを備え、
前記ディスプレイウィンドウは、それを通じて物品を収容し且つ供覧するための開口を備え、
前記ブランクは、前記ディスプレイウィンドウ内で供覧される物品を固定するための少なくとも１つの固定機構をさらに備え、
前記少なくとも１つの固定機構は、前記複数のパネルの内の第２パネルにヒンジ式に結合された係止タブを備え、前記複数のパネルの内の前記第２パネルは、前記複数のパネルの内の前記第１パネルに隣接するように配置され、
前記係止タブは、前記ブランクから形成されたカートンの内側へ折り曲げ可能であり、且つ、前記係止タブは、前記ディスプレイウィンドウ内の物品の一部と係合するための係合縁部を備えることを特徴とするブランク。
【請求項１８】
カートンと１つ以上の物品とを備えた梱包容器であって、前記カートンは、頂部パネル、底部パネル、第１側壁部パネル、及び第２側壁部パネルを含む複数のパネルを備え、
前記複数のパネルの内の第１パネルは、ディスプレイウィンドウを備え、
前記ディスプレイウィンドウは、それを通じて物品を収容し且つ供覧するための開口を備え、
前記カートンは、前記ディスプレイウィンドウ内で１つ以上の物品を固定するための少なくとも１つの固定機構をさらに備え、
前記少なくとも１つの固定機構は、前記複数のパネルの内の第２パネルにヒンジ式に結合された係止タブを備え、前記複数のパネルの内の前記第２パネルは、前記複数のパネルの内の前記第１パネルに隣接するように配置され、
前記係止タブは、前記カートンの内側へ折り曲げ可能であり、且つ、前記１つ以上の物品の一部と係合する係合縁部を備えることを特徴とする梱包容器。
【発明の詳細な説明】
【技術分野】
【０００１】
本発明は、カートン及びカートンを形成するためのブランクに関し、より具体的には、これに限られるものではないが、ラップアラウンド式のカートンであって、その側部パネルに設けられたディスプレイウィンドウを有するカートンに関し、ディスプレイウィンドウを通じて少なくとも１つの物品が収容可能（loadable）であり、前記カートンは、前記少なくとも１つの物品を固定するための固定機構を有する。
【背景技術】
【０００２】
梱包の分野において、複数の１次物品の入れ物を備える梱包容器を消費者に提供することがしばしば求められる。このようなマルチパックは、運送及び流通並びに販促情報を表示するのに望ましい。費用及び環境問題を考慮すると、このようなカートン又はキャリアは、可能な限り少ない材料から形成する必要があり、且つ可能な限りカートン又はキャリアを形成する材料中の生じる廃棄物を少なくする必要がある。その他に考慮すべき事項は、梱包の強度と、重い物品を保持し且つ輸送するのに梱包が適当かどうか、である。
【０００３】
梱包される物品がそれを通じて供覧され得るディスプレイウィンドウが設けられているのが望ましい。また、ディスプレイウィンドウは、物品を梱包容器に収容する（load）のに使用できるのが望ましい。ディスプレイウィンドウを通じて一度収容されたら、そのように収容された物品は、意図せず飛び出てしまうことがないように、梱包容器内で固定されることがさらに望ましい。
【発明の概要】
【発明が解決しようとする課題】
【０００４】
本発明は、このような従来技術の問題点を解消するか、少なくとも低減しようとするものである。
【課題を解決するための手段】
【０００５】
本発明の第１態様によると、複数の物品を梱包するためのカートンが提供され、カートンは、頂部パネル、底部パネル、第１側壁部パネル、及び第２側壁部パネルを含む複数のパネルを備え、
複数のパネルの内の少なくとも第１パネルは、ディスプレイウィンドウを備え、
ディスプレイウィンドウは、それを通じて物品を収容し且つ供覧するための開口を備え、
カートンは、ディスプレイウィンドウ内で供覧される物品を固定するための少なくとも１つの固定機構を備え、
少なくとも１つの固定機構は、複数のパネルの内の第２パネルにヒンジ式に結合された係止タブを備え、複数のパネルの内の第２パネルは、複数のパネルの内の第１パネルに隣接するように配置され、
係止タブは、カートンの内側へ折り曲げ可能であり、且つ物品の一部を係合するための係合縁部を備える。
【０００６】
好適には、複数のパネルの内の第１パネルは、カートンの第１側部パネル及び第２側部パネルの何れか一方である。
【０００７】
好適には、係止タブは、複数のパネルの内の第２パネルから少なくとも部分的に打ち抜かれており、且つ複数のパネルの内の第２パネルにヒンジ式に結合されている。
【０００８】
好適には、複数のパネルは管状構造体を画成し、管状構造体の両端は開かれている。管状構造体は管軸を定める。
【０００９】
好適には、少なくとも１つの固定機構の係止タブは、折目線で複数のパネルの内の第２パネルにヒンジ式に結合されている。折目線は、係止タブが管軸に対して横方向に折り曲げ可能なように、管状構造体の管軸と実質的に平行に方向付けられることが可能である。
【００１０】
いくつかの実施形態において、開口は、複数のパネルの内の第１パネルに、少なくとも部分的に画定されていることが可能である。
【００１１】
いくつかの実施形態において、開口は、複数のパネルの内の第１パネルから打ち抜かれ且つ第１パネルにヒンジ式に結合された第１ウィンドウフラップによって、少なくとも部分的に画定されることが可能である。
【００１２】
好適には、第１ウィンドウフラップは、開口の第１縁部を画定するヒンジ縁部を備える。
【００１３】
好適には、第１ウィンドウフラップは、第１ウィンドウフラップのヒンジ縁部と反対側の位置に配置された自由縁部を備える。
【００１４】
いくつかの実施形態において、開口は、複数のパネルの内の第１パネルから打ち抜かれた第２ウィンドウフラップによって、少なくとも部分的に画定されることが可能である。第２ウィンドウフラップは、複数のパネルの内の第１パネルにヒンジ式に結合されることが可能である。第２ウィンドウフラップは、第１ウィンドウフラップの反対側の位置に配置されることが可能である。
【００１５】
好適には、第２ウィンドウフラップは、開口の第２縁部を画定するヒンジ縁部を備える。開口の第２縁部は、開口の第１縁部の反対側の位置に配置されることが可能である。
【００１６】
好適には、第２ウィンドウフラップは、第２ウィンドウフラップのヒンジ縁部と反対側に配置された自由縁部を備える。
【００１７】
いくつかの実施形態において、開口は、少なくとも１つの固定機構の係止タブによって、部分的に確定されることが可能である。
【００１８】
いくつかの実施形態において、少なくとも１つの固定機構の係止タブは、ディスプレイウィンドウの開口を通じてカートンの内側へ折り曲げ可能であってもよい。
【００１９】
いくつかの実施形態において、少なくとも１つの固定機構の係止タブは、複数のパネルの内の第２パネルから打ち抜かれていることが可能である。
【００２０】
いくつかの実施形態において、少なくとも１つの固定機構の係止タブは、複数のパネルの内の第２パネルから部分的に打ち抜かれていることが可能であり、また、複数のパネルの内の第１パネルから部分的に打ち抜かれていることが可能である。
【００２１】
本発明の第２態様によると、カートンを形成するためのブランクが提供され、ブランクは、頂部パネル、底部パネル、第１側壁部パネル、及び第２側壁部パネルを含む複数のパネルを備え、
複数のパネルの内の少なくとも第１パネルは、ディスプレイウィンドウを備え、
ディスプレイウィンドウは、それを通じて物品を収容し且つ供覧するための開口を備え、
ブランクは、ディスプレイウィンドウ内で供覧される物品を固定するための少なくとも１つの固定機構を備え、
少なくとも１つの固定機構は、複数のパネルの内の第２パネルにヒンジ式に結合された係止タブを備え、複数のパネルの内の第２パネルは、複数のパネルの内の第１パネルに隣接するように配置され、
係止タブは、組み立てられたカートンの内側へ折り曲げ可能であり、且つ、物品の一部と係合するための係合縁部を備える。
【００２２】
本発明の第３態様によると、カートンと１つ以上の物品とを備えた梱包容器が提供され、カートンは、頂部パネル、底部パネル、第１側壁部パネル、及び第２側壁部パネルを含む複数のパネルを備え、
複数のパネルの内の少なくとも第１パネルは、ディスプレイウィンドウを備え、
ディスプレイウィンドウは、それを通じて物品を収容し且つ供覧するための開口を備え、
カートンは、ディスプレイウィンドウ内で供覧される物品を固定するための少なくとも１つの固定機構を備え、
少なくとも１つの固定機構は、複数のパネルの内の第２パネルにヒンジ式に結合された係止タブを備え、複数のパネルの内の第２パネルは、複数のパネルの内の第１パネルに隣接するように配置され、
係止タブは、カートンの内側へ折り曲げ可能であり、且つ、物品の一部と係合する係合縁部を備える。
【００２３】
本願の範囲内において、ここまでの段落、特許請求の範囲、及び／又は以下の説明及び図面において示される様々な態様、実施形態、実施例、特徴点、及び変形例は、単独で利用してもよく、これらを任意に組み合わせて利用してもよいものと意図されている。例えば、一実施形態と関連させて説明された特徴点は、特徴点が不適合なものでない限りは、全実施形態に適用可能である。
【００２４】
次いで、本発明の典型的な実施形態が、添付の図面を参照しながら説明される。
【図面の簡単な説明】
【００２５】
【図１】第１実施形態に係るカートンを形成するためのブランクを上方から見た平面図である。
【図２】図１のブランクから形成されたカートン及びカートンに収容された一群の物品を上方から見た斜視図である。
【図３】第２実施形態に係るカートンを形成するためのブランクを上方から見た平面図である。
【図４】図３のブランクから形成されたカートン及びカートンに収容された一群の物品を上方から見た斜視図である。
【図５】第３実施形態に係るカートンを形成するためのブランクを上方から見た平面図である。
【図６】第４実施形態に係るカートンを形成するためのブランクを上方から見た平面図である。
【発明を実施するための形態】
【００２６】
梱包容器、ブランク、及びカートンの具体的な実施形態についての詳細な説明が、本明細書で開示される。開示された実施形態は、単に本発明の一態様が実施され得る方法の例示であって、本発明を具体化し得る全方法を余すところなく一覧としたものを表すわけではないことは理解されるであろう。本明細書で用いられるように、「典型的な（exemplary）」との用語は、実例、適例、モデル、又はパターンとなる実施形態を指して広く用いられる。実際、本明細書で説明される梱包容器、ブランク、及びカートンが様々な代替的形態で具体化できることは理解されるであろう。図面は、必ずしも正確な縮尺ではなく、また、特定の構成要素の詳細を示すために、誇張したり縮小化したりしている特徴点もある。周知の構成要素、材料、又は方法は、本開示が不明瞭になるのを避けるために、必ずしも詳細に説明されているわけではない。本明細書で開示される任意の具体的な構造及び機能の詳細は、限定的なものとしてではなく、単に特許請求の範囲の一根拠として、また、本発明の様々な利用方法を当業者に教示するための代表的な基礎として解釈されるべきである。
【００２７】
図１は、カートン９０を形成することができるブランク１０の平面図を示す。カートン９０は、好適には、図２に示されるようなラップアラウンド式のものであり、例えば、これに限定されるものではないが、缶のような１次物品のためのものである。この物品を、以下では物品Ａという。
【００２８】
本明細書で詳細に説明する実施形態において、「カートン」及び「キャリア」との用語は、本発明の様々な特徴点を例証するための非限定的な目的のために、物品容器のような、物品を係合、運搬、及び／又は分配するための入れ物を指す。本発明の教示は、様々な物品容器に適用可能であると考えられる。物品容器は、テーパ付けられていてもいなくてもよく、及び／又は円筒形であってもなくてもよい。例えば入れ物には、瓶（例えば、金属瓶、ガラス瓶、又はプラスチックの瓶）、缶（例えばアルミ缶）、ブリキ缶、ポーチ、小包等が含まれる。
【００２９】
ブランクは、適切な基材のシートから形成される。本明細書で用いられるように、「適切な基材」との用語には、例えばボール紙、段ボール、厚紙、プラスチック、及びそれらの組み合わせ等、あらゆる種類の折り曲げ可能なシート材料が含まれることが理解されるべきである。例えば以下でより詳細に説明されるキャリア構造体を提供するために、１つ又は複数の適切な数のブランクが用いられてもよいということが認識されるべきである。
【００３０】
典型的な実施形態において、ブランクは、典型的な配置の典型的な物品を梱包するためのカートン又はキャリアを形成するように構成される。図示される実施形態のいくつかでは、配置が、３×１のマトリックス又は３つの缶の列になっている。図示される別の実施形態では、配置が、６×１のマトリックス又は４つの缶の列になっており、他の実施形態では他の配置が用いられてもよい。あるいは、ブランクは、他の種類、他の数、及び他の大きさの物品を梱包するための、並びに／又は、異なった配置若しくは構成で物品を梱包するためのキャリアを形成するように構成され得る。
【００３１】
ブランク１０は、直線的且つ逐次的に（in a linear series）、共にヒンジ式に結合された複数のメインパネル１２、１４、１６、１８、２０を備える。複数のメインパネル１２、１４、１６、１８、２０は、組み立て後は（in a set-up condition）、オープンエンドの管状構造体を形成する。
【００３２】
ブランク１０は、折目線１３によって底部パネル１４にヒンジ式に結合された固定パネル１２を備える。底部パネル１４は、折目線１５によって第１側部パネル１６にヒンジ式に結合されている。第１側部パネル１６は、折目線１７によって頂部パネル１８にヒンジ式に結合されている。頂部パネル１８は、折目線１９によって第２側部パネル２０にヒンジ式に結合されている。
【００３３】
ブランク１０は、ディスプレイウィンドウＷを備え（図２を参照）、ディスプレイウィンドウＷは、第１側部パネル１６から打ち抜かれた第１開口Ａ１を備える。第１開口Ａ１は、第１側部パネル１６にわたって延在し、第１開口Ａ１は、底部パネル１４と第１側部パネル１６との間の折目線１５から、頂部パネル１８と第１側部パネル１６との間の折目線１７まで延在している。第１開口Ａ１は、以下でより詳細に論じられるように、第１ウィンドウフラップ３２ａ及び第２ウィンドウフラップ３２ｂによって部分的に画定される。
【００３４】
ディスプレイウィンドウＷは、第１側部パネル１６から打ち抜かれる第１ウィンドウフラップ３２ａによって部分的に画定される。第１ウィンドウフラップ３２ａは、第１側部パネル１６にわたって延在し、第１ウィンドウフラップ３２ａは、底部パネル１４と第１側部パネル１６との間の折目線１５から、頂部パネル１８と第１側部パネル１６との間の折目線１７まで延在している。第１ウィンドウフラップ３２ａは、第１折目線３３ａによって第１側部パネル１６とヒンジ式に結合されている。第１カットライン（cut line）４１ａは、第１折目線３３ａの下方端部である第１端部に配置される。第１カットライン４１ａは、第１折目線３３ａの下方端部である第１端部と、折目線１５との間で延在している。第２カットライン４３ａは、第１折目線３３ａの上方端部である第２端部に配置される。第２カットライン４３ａは、第１折目線３３ａの第２端部と、折目線１７との間で延在している。第１折目線３３ａ、第１カットライン４１ａ及び第２カットライン４３ａは共に、折目線１５と折目線１７との間で延在するように、第１側部パネル１６にわたって延在している。好適には、第１折目線３３ａは直線でなく、図示された実施形態においては、第１折目線３３ａは曲線形状又は弧状形状である。別の実施形態においては、第１折目線３３ａは１つ以上の直線区間又は直線部分から形成されていてもよい。折目線３３ａが２つ以上の直線部分から形成されている実施形態においては、これらの直線部分は、同程度に延在して（coextensively）配置され、且つ互いに角度をなすように配置される。
【００３５】
ディスプレイウィンドウＷは、第１側部パネル１６から打ち抜かれる第２ウィンドウフラップ３２ｂによって部分的に画定される。第２ウィンドウフラップ３２ｂは、第１側部パネル１６にわたって延在し、第２ウィンドウフラップ３２ｂは、底部パネル１４と第１側部パネル１６との間の折目線１５から、頂部パネル１８と第１側部パネル１６との間の折目線１７まで延在している。第２ウィンドウフラップ３２ｂは、第２折目線３３ｂによって第１側部パネル１６とヒンジ式に結合されている。第３カットライン４１ｂは、第２折目線３３ｂの下方端部である第１端部に配置される。第３カットライン４１ｂは、第２折目線３３ｂの第１端部と、折目線１５との間で延在している。第４カットライン４３ｂは、第２折目線３３ｂの上方端部である第２端部に配置される。第４カットライン４３ｂは、第２折目線３３ｂの第２端部と、折目線１７との間で延在している。第２折目線３３ｂ、第３カットライン４１ｂ及び第４カットライン４３ｂは共に、折目線１５と折目線１７との間で延在するように、第１側部パネル１６にわたって延在している。好適には、第２折目線３３ｂは直線でなく、図示された実施形態においては、第２折目線３３ｂは曲線形状又は弧状形状である。別の実施形態においては、第２折目線３３ｂは１つ以上の直線区間又は直線部分から形成されていてもよい。折目線３３ｂが２つ以上の直線部分から形成されている実施形態においては、これらの直線部分は、同程度に延在して配置され、且つ互いに角度をなすように配置される。
【００３６】
第１ウィンドウフラップ３２ａ及び第２ウィンドウフラップ３２ｂが、それぞれ折目線３３ａ及び折目線３３ｂについてカートンの内側へ折り曲げられると、上述した第１開口Ａ１が完全に形成される。第１開口Ａ１が完全に形成されると、第１開口Ａ１の対向する側縁部の一方が、折目線３３ａによって少なくとも部分的に画定され、同時に第１開口Ａ１の側縁部の他方は、折目線３３ｂによって少なくとも部分的に画定される。結果として、第１開口Ａ１は、完全に形成されると、折目線３３ａと折目線３３ｂとの間で延在する。
【００３７】
ブランク１０は、折目線２７ａによって底部パネル１４の第１端部とヒンジ式に結合された第１固定タブ２６ａを備える。第１固定タブ２６ａは半円形状であり、且つその直線縁部に沿って、底部パネル１４とヒンジ式に結合されている。
【００３８】
ブランク１０は、折目線２７ｂによって底部パネル１４の第２端部とヒンジ式に結合された第２固定タブ２６ｂを備える。第２固定タブ２６ｂは半円形状であり、且つその直線縁部に沿って、底部パネル１４とヒンジ式に結合されている。
【００３９】
ブランク１０は、折目線２９ａによって頂部パネル１８の第１端部とヒンジ式に結合された第３固定タブ２８ａを備える。第３固定タブ２８ａは半円形状であり、且つその直線縁部に沿って、頂部パネル１８とヒンジ式に結合されている。
【００４０】
ブランク１０は、折目線２９ｂによって頂部パネル１８の第２端部とヒンジ式に結合された第４固定タブ２８ｂを備える。第４固定タブ２８ｂは半円形状であり、且つその直線縁部に沿って、頂部パネル１８とヒンジ式に結合されている。
【００４１】
ブランク１０は、折目線３１ａによって底部パネル１４とヒンジ式に結合された第１バイアスタブ３０ａを備える。第１バイアスタブ３０ａは、底部パネル１４から部分的に打ち抜かれており、且つ第１固定タブ２６ａから部分的に打ち抜かれている。第１バイアスタブ３０ａは、折目線３１ａによって部分的に画定されており、且つ第１弧状カットラインによって部分的に画定されている。第１バイアスタブ３０ａは半円形状であり、且つその直線縁部に沿って、底部パネル１４とヒンジ式に結合されている。折目線３１ａは、折目線２７ａからずらされている。第１バイアスタブ３０ａの弧状縁部は、折目線２７ａを遮っている。
【００４２】
ブランク１０は、折目線３１ｂによって底部パネル１４とヒンジ式に結合された第２バイアスタブ３０ｂを備える。第２バイアスタブ３０ｂは、底部パネル１４から部分的に打ち抜かれており、且つ第２固定タブ２６ｂから部分的に打ち抜かれている。第２バイアスタブ３０ｂは、折目線３１ｂによって部分的に画定されており、且つ第２弧状カットラインによって部分的に画定されている。第２バイアスタブ３０ｂは半円形状であり、且つその直線縁部に沿って、底部パネル１４とヒンジ式に結合されている。折目線３１ｂは、折目線２７ｂからずらされている。第２バイアスタブ３０ｂの弧状縁部は、折目線２７ｂを遮っている。
【００４３】
ブランク１０は、底部パネル１４から打ち抜かれ且つ折目線２１によって底部パネル１４とヒンジ式に結合された第１係止タブ２２を備える。第１係止タブ２２は切頭半円形状であり、且つその第１直線縁部に沿って、底部パネル１４とヒンジ式に結合されている。折目線２１は、折目線１３と平行に方向付けられている。このように、第１係止タブ２２は、カートン９０を横切るように横方向に折り曲げ可能である。第１係止タブ２２は、ブランク１０にわたって横方向に延在する概念上の直線（この概念上の直線は、組み立て後のカートンの管軸に対して横方向であるように方向付けられる）上にあるように、開口Ａ１と一直線になっている。
【００４４】
ブランク１０は、頂部パネル１８から打ち抜かれ且つ折目線２３によって頂部パネル１８とヒンジ式に結合された第２係止タブ２４を備える。第２係止タブ２４は切頭半円形状であり、且つその第１直線縁部に沿って、頂部パネル１８とヒンジ式に結合されている。折目線２３は、折目線１９と平行に方向付けられている。このように、第２係止タブ２４は、カートン９０を横切るように横方向に折り曲げ可能である。第２係止タブ２４は、ブランク１０にわたって横方向に延在する概念上の直線（この概念上の直線は、組み立て後のカートンの管軸に対して横方向であるように方向付けられる）上にあるように、開口Ａ１と一直線になっている。
【００４５】
ブランク１０は、アクセス機構（access device）Ｚを備える。アクセス機構Ｚは、互いに離間して配置された、一対の脆弱切断線を備える。一対の脆弱切断線は、第２側部パネル２０を縦方向に略横切るように延在する開封帯を定める。即ち、開封帯は、組み立て後のカートンの管軸に平行に延在するように配置される。
【００４６】
次いで、図２に図示されるようなカートン９０の組み立てについては、カートン９０は、一連の連続した折り曲げ操作によって形成され得る。折り曲げ工程は、以下で説明されるものに限定されず、個々の製造上の要求に応じて変更されてもよい。
【００４７】
ブランク１０は折目線１３について折り曲げられ、その結果、底部パネル１４と固定パネル１２とが折目線１３について折り曲げられる。底部パネル１４は、第１側部パネル１６と面で接するまで折り曲げられ（brought into face contacting relationship）、固定パネル１２は、第１側部パネル１６と面で接するまで折り曲げられる。
【００４８】
接着剤Ｇ又はその他の接着処理が、固定パネル１２に、又は、別の実施形態においては第２側部パネル２０の対応部分、即ち重ね合せられる部分に塗布され又は施される。
【００４９】
ブランク１０は折目線１９について折り曲げられ、その結果、第２側部パネル２０が折目線１９について折り曲げられる。底部パネル２０の一部は、固定パネル１２と面で接するまで折り曲げられ、固定パネル１２と部分的に重なり合って固定される。第２側部パネル２０は、頂部パネル１８及び第１側部パネル１６の一部と面で接するまで折り曲げられる。
【００５０】
従って、ブランク１０は、コンバーター工場に容易に運送又は供給できる平らに潰された管状構造体に形成され、コンバーター工場では、この平らに潰された管状構造体が起こされて（erected）、物品が収容される。
【００５１】
平らに潰された管状構造体は、第１側部パネル１６が第１底部パネル１４に対して実質的に垂直に配置されるように、底部パネル１４に対して第１側部パネル１６を展開することにより、起こされて管状構造体を形成することができる。
【００５２】
カートン９０には、そのオープンエンドの管状形態において、カートン９０の両オープンエンドを通じて物品Ａが収容されてもよい。カートン９０には、そのオープンエンドの管状形態において、ディスプレイウィンドウＷを通じて物品Ａが収容されてもよい。
【００５３】
第１オープンエンドを通じて物品Ａを収容するために、第１バイアスタブ３０ａが、折目線３１ａについてカートン９０の内側へ折り曲げられる。好適には、第１バイアスタブ３０ａは、９０度より大きい角度まで（through an angle greater than 90 degrees）折り曲げられる。いくつかの実施形態では、第１バイアスタブ３０ａは、実質的に１８０度の角度まで折り曲げられる。第１固定タブ２６ａは、折目線２７ａについてカートン９０の内側へ折り曲げられる。好適には、第１固定タブ２６ａは、９０度より大きい角度まで折り曲げられる。いくつかの実施形態では、第１固定タブ２６ａは、実質的に１８０度の角度まで折り曲げられる。第３固定タブ２８ａは、折目線２９ａについてカートン９０の内側へ折り曲げられる。好適には、第３固定タブ２８ａは、９０度より大きい角度まで折り曲げられる。いくつかの実施形態では、第３固定タブ２８ａは、実質的に１８０度の角度まで折り曲げられる。
【００５４】
物品Ａは、第１固定タブ２６ａと第３固定タブ２８ａとの間のカートン９０の第１端部を通じて、カートン９０へ挿入される。第１固定タブ２６ａは、物品Ａをカートン９０内に保持しておくために、物品Ａの底部に設けられたフランジ又はチャイムＣ又はその他の適当な突出部と係合する。第３固定タブ２８ａは、物品Ａをカートン９０内に保持しておくために、物品Ａの頂部に設けられたフランジ又はチャイムＣ又はその他の適当な突出部と係合する。
【００５５】
第２オープンエンドを通じて物品Ａを収容するために、第２バイアスタブ３０ｂが、折目線３１ｂについてカートン９０の内側へ折り曲げられる。好適には、第２バイアスタブ３０ｂは、９０度より大きい角度まで折り曲げられる。いくつかの実施形態では、第２バイアスタブ３０ｂは、実質的に１８０度の角度まで折り曲げられる。第２固定タブ２６ｂは、折目線２７ｂについてカートン９０の内側へ折り曲げられる。好適には、第２固定タブ２６ｂは、９０度より大きい角度まで折り曲げられる。いくつかの実施形態では、第２固定タブ２６ｂは、実質的に１８０度の角度まで折り曲げられる。第４固定タブ２８ｂは、折目線２９ｂについてカートン９０の内側へ折り曲げられる。好適には、第４固定タブ２８ｂは、９０度より大きい角度まで折り曲げられる。いくつかの実施形態では、第４固定タブ２８ｂは、実質的に１８０度の角度まで折り曲げられる。
【００５６】
物品Ａは、第２固定タブ２６ｂと第４固定タブ２８ｂとの間のカートン９０の第２端部を通じて、カートン９０へ挿入される。第２固定タブ２６ｂは、物品Ａをカートン９０内に保持しておくために、物品Ａの底部に設けられたフランジ又はチャイムＣ又はその他の適当な突出部と係合する。第４固定タブ２８ｂは、物品Ａをカートン９０内に保持しておくために、物品Ａの頂部に設けられたフランジ又はチャイムＣ又はその他の適当な突出部と係合する。
【００５７】
梱包は、ディスプレイウィンドウＷを通じて物品Ａを収容することにより完了する。第１係止タブ２２は、折目線２１についてカートン９０の内側へ折り曲げられる。好適には、第１係止タブ２２は、９０度より大きい角度まで折り曲げられる。いくつかの実施形態では、第１係止タブ２２は、実質的に１８０度の角度まで折り曲げられる。第２係止タブ２４は、折目線２３についてカートン９０の内側へ折り曲げられる。好適には、第２係止タブ２４は、９０度より大きい角度まで折り曲げられる。いくつかの実施形態では、第２係止タブ２４は、実質的に１８０度の角度まで折り曲げられる。
【００５８】
物品Ａは、ディスプレイウィンドウＷを通じて、カートン９０へ挿入される。挿入に際して、第１ウィンドウフラップ３２ａ及び第２ウィンドウフラップ３２ｂが、それぞれ折目線３３ａ及び折目線３３ｂについて折り曲げられる。別の実施形態においては、第１ウィンドウフラップ３２ａ及び第２ウィンドウフラップ３２ｂは、ディスプレイウィンドウＷを通じて物品Ａを挿入する前に、折目線３３ａ及び折目線３３ｂのそれぞれについて事前に折り曲げられる。
【００５９】
物品Ａは、第１係止タブ２２と第２係止タブ２４との間に配置される。第１係止タブ２２は、物品Ａをカートン９０内に保持しておくために、ディスプレイウィンドウＷを通じて挿入される物品Ａの底部に設けられたフランジ又はチャイムＣ又はその他の適当な突出部と係合する。第２係止タブ２４は、ディスプレイウィンドウＷを通じて挿入される物品Ａをカートン９０内に保持しておくために、物品Ａの頂部に設けられたフランジ又はチャイムＣ又はその他の適当な突出部と係合する。フランジ又はチャイムＣは、第１係止タブ２２又は第２係止タブ２４が係合する内側縁部又は面を有するリムを画成する。フランジ又はチャイムＣは、物品Ａの頂部及び／又は底部の凹部を画成する。第１係止タブ２２又は第２係止タブ２４には、ブランク１０を構成する材料固有の弾性のため、折り曲げられていない状態に戻り（to unfold）、頂部パネル１８又は底部パネル１４が平面である初期位置へ戻るように、バイアスが掛かっている。第１係止タブ２２及び第２係止タブ２４は、それぞれ物品Ａの頂部又は底部に設けられた凹部内で広がる。折目線２１及び２３は、非直線形状であってもよく、例えば、これに限定されるものではないが、第１係止タブ２２及び第２係止タブ２４の折り曲げられていない状態へのバイアスを高め又は増加させるために、弧状であってもよい。
【００６０】
第１ウィンドウフラップ３２ａ及び第２ウィンドウフラップ３２ｂはそれぞれ、ディスプレイウィンドウＷを通じて挿入される物品Ａの両側でフレーム部材となる。ブランク１０を構成する材料固有の弾性のため、第１ウィンドウフラップ３２ａ及び第２ウィンドウフラップ３２ｂは、ディスプレイウィンドウＷを通じて挿入される物品Ａの反対側へバイアスを掛けられる。また、好適には、第１ウィンドウフラップ３２ａ及び第２ウィンドウフラップ３２ｂは、物品Ａと接するように配置される。ブランク１０を構成する材料固有の弾性によって掛けられるバイアスは、折目線３３ａ、３３ｂの非直線性によって増補される。非直線形状は、第１ウィンドウフラップ３２ａ及び第２ウィンドウフラップ３２ｂが折り曲げられていない状態に広がり、また、第１側部パネル１６と同じ平面配置に戻るのを助長する。
【００６１】
ディスプレイウィンドウＷを通じて物品Ａを挿入すると、一番端の物品Ａを外側へ押しやって各固定タブ２６ａ、２６ｂ、２８ａ、２８ｂと接触させることによって、一番端の物品Ａを各固定タブ２６ａ、２６ｂ、２８ａ、２８ｂと堅く係合させることができる。
【００６２】
別の実施形態においては、カートン９０のオープンエンドのそれぞれを通じて物品を挿入する前に、ディスプレイウィンドウＷを通じて物品を挿入してもよいということが理解されるであろう。
【００６３】
平らに潰された管状構造体を直立形態に起こす工程は、手で行ってもよく、自動化して梱包機械で行ってもよい。
【００６４】
カートン９０に物品Ａを収容する工程は、手で行ってもよく、自動化して梱包機械で行ってもよい。
【００６５】
次いで、図３から図６を参照すると、本発明の別の実施形態が示されている。図示された第２、第３、第４実施形態において、類似の符号は、できる限り、類似した部分を表すのに用いられている。但し、「１００」、「２００」、又は「３００」といった頭の数字の追加は、これらの特徴が第２、第３、第４実施形態に属することを示すためのものである。これら別の実施形態は、第１実施形態と共通の特徴を多く共有しているので、図１及び図２に図示された実施形態との差異のみを詳細に説明することとする。
【００６６】
図３は、図示された第２実施形態によって、図４に示すカートン１９０を形成するブランク１１０を図示したものである。
【００６７】
ブランク１１０は、複数のメインパネル１１２、１１４、１１６、１１８、１２０を備え、これら複数のメインパネル１１２、１１４、１１６、１１８、１２０は、組み立て後は、オープンエンドの管状構造体を形成する。
【００６８】
ブランク１１０は、折目線１１３によって底部パネル１１４にヒンジ式に結合された固定パネル１１２を備える。底部パネル１１４は、折目線１１５によって第１側部パネル１１６にヒンジ式に結合されている。第１側部パネル１１６は、折目線１１７によって頂部パネル１１８にヒンジ式に結合されている。頂部パネル１１８は、折目線１１９によって第２側部パネル１２０にヒンジ式に結合されている。
【００６９】
ブランク１１０は、ディスプレイウィンドウＷを備え（図４を参照）、ディスプレイウィンドウＷは、第１側部パネル１１６から打ち抜かれた第１開口Ａ１を備える。ブランク１１０の第１開口Ａ１は、以下でより詳細に説明されるように、第１ウィンドウフラップ１３２ａ及び第２ウィンドウフラップ１３２ｂによって部分的に画定され、係止タブ１２２、１２４によって部分的に画定される。
【００７０】
ディスプレイウィンドウＷは、第１側部パネル１１６から打ち抜かれる第１ウィンドウフラップ１３２ａを備える。第１ウィンドウフラップ１３２ａは、第１側部パネル１１６にわたって延在し、第１ウィンドウフラップ１３２ａは、底部パネル１１４と第１側部パネル１１６との間の折目線１１５から、頂部パネル１１８と第１側部パネル１１６との間の折目線１１７まで延在している。第１ウィンドウフラップ１３２ａは、第１折目線１３３ａによって第１側部パネル１１６とヒンジ式に結合されている。第１カットライン１４１ａは、第１折目線１３３ａの下方端部である第１端部に配置される。第１カットライン１４１ａは、第１折目線１３３ａの第１端部と、折目線１１５との間で延在している。第２カットライン１４３ａは、第１折目線１３３ａの上方端部である第２端部に配置される。第２カットライン１４３ａは、第１折目線１３３ａの第２端部と、折目線１１７との間で延在している。第１折目線１３３ａ、第１カットライン１４１ａ及び第２カットライン１４３ａは共に、折目線１１５と折目線１１７との間で延在するように、第１側部パネル１１６にわたって延在している。好適には、第１折目線１３３ａは直線でなく、図示された実施形態においては、第１折目線１３３ａは曲線形状又は弧状形状である。別の実施形態においては、第１折目線１３３ａは１つ以上の直線区間から形成されていてもよい。折目線１３３ａが２つ以上の直線区間から形成されている実施形態においては、これらの直線区間は、同程度に延在して配置され、且つ互いに角度をなすように配置されることが可能である。
【００７１】
ディスプレイウィンドウＷは、第１側部パネル１１６から打ち抜かれる第２ウィンドウフラップ１３２ｂを備える。第２ウィンドウフラップ１３２ｂは、第１側部パネル１１６にわたって延在し、第２ウィンドウフラップ１３２ｂは、底部パネル１１４と第１側部パネル１１６との間の折目線１１５から、頂部パネル１１８と第１側部パネル１１６との間の折目線１１７まで延在している。第２ウィンドウフラップ１３２ｂは、第２折目線１３３ｂによって第１側部パネル１１６とヒンジ式に結合されている。第３カットライン１４１ｂは、第２折目線１３３ｂの下方端部である第１端部に配置される。第３カットライン１４１ｂは、第２折目線１３３ｂの第１端部と、折目線１１５との間で延在している。第４カットライン１４３ｂは、第２折目線１３３ｂの上方端部である第２端部に配置される。第４カットライン１４３ｂは、第２折目線１３３ｂの第２端部と、折目線１１７との間で延在している。第２折目線１３３ｂ、第３カットライン１４１ｂ及び第４カットライン１４３ｂは共に、折目線１１５と折目線１１７との間で延在するように、第１側部パネル１１６にわたって延在している。好適には、第２折目線１３３ｂは直線でなく、図示された実施形態においては、第２折目線１３３ｂは曲線形状又は弧状形状である。別の実施形態においては、第２折目線１３３ｂは１つ以上の直線区間から形成されていてもよい。折目線１３３ｂが２つ以上の直線区間から形成されている実施形態においては、これらの直線区間は、同程度に延在して配置され、且つ互いに角度をなすように配置されることが可能である。
【００７２】
第１ウィンドウフラップ１３２ａ、第２ウィンドウフラップ１３２ｂ、第１係止タブ１２２、及び第２係止タブ１２４が、それぞれ折目線１３３ａ、１３３ｂ、１２１、及び１２３についてカートンの内側へ折り曲げられると、ブランク１１０の第１開口Ａ１が完全に形成される。第１開口Ａ１が完全に形成されると、第１開口Ａ１の対向する側縁部の一方が、折目線１３３ａによって少なくとも部分的に画定され、同時に第１開口Ａ１の側縁部の他方は、折目線１３３ｂによって少なくとも部分的に画定される。結果として、第１開口Ａ１は、完全に形成されると、折目線１３３ａと折目線１３３ｂとの間で水平方向に延在する。第１開口Ａ１が完全に形成されると、第１開口Ａ１の上側縁部が折目線１２３によって画定され、同時に第１開口Ａ１の下側縁部は折目線１２１によって画定される。結果として、第１開口Ａ１は、完全に形成されると、折目線１２１と折目線１２３との間で鉛直方向に延在する。
【００７３】
ブランク１１０は、底部パネル１１４から部分的に打ち抜かれ且つ第１側部パネル１１６から部分的に打ち抜かれた第１係止タブ１２２を備える。第１係止タブ１２２は、折目線１２１によって底部パネル１１４とヒンジ式に結合されている。第１係止タブ１２２は、折目線１２１によって画定される第１係止タブ１２２の直線的な第１縁部に沿って、底部パネル１１４とヒンジ式に結合されている。第１係止タブ１２２は、実質的に第１縁部の反対側に配置された弧状の第２縁部を備える。折目線１２１は、折目線１１３と平行に方向付けられている。このように、第１係止タブ１２２は、カートン１９０を横切るように横方向に折り曲げ可能である。第１係止タブ１２２は、ディスプレイウィンドウＷの一部を画定する。第１係止タブ１２２と底部パネル１１４との間のヒンジ式結合は、折目線１１３よりも折目線１１５に近接するように配置される。一方、図１及び図２の実施形態においては、折目線２１は、底部パネル１４の中央に配置されるように、折目線１５と折目線１３との間で実質的に等距離に配置される。第１係止タブ１２２は、ディスプレイウィンドウＷを通じてカートン１９０の内側へ折り曲げられる。
【００７４】
ブランク１１０は、頂部パネル１１８から部分的に打ち抜かれ且つ第１側部パネル１１６から部分的に打ち抜かれた第２係止タブ１２４を備える。第２係止タブ１２４は、折目線１２３によって頂部パネル１１８とヒンジ式に結合されている。第２係止タブ１２４は、折目線１２３によって画定される第２係止タブ１２４の直線的な第１縁部に沿って、頂部パネル１１８とヒンジ式に結合されている。第２係止タブ１２４は、実質的に第１縁部の反対側に配置された弧状の第２縁部を備える。折目線１２３は、折目線１１９と平行に方向付けられている。このように、第２係止タブ１２４は、カートン１９０を横切るように横方向に折り曲げ可能である。第２係止タブ１２４は、ディスプレイウィンドウＷの一部を形成する。第２係止タブ１２４と頂部パネル１１８との間のヒンジ式結合は、折目線１１９よりも折目線１１７に近接するように配置される。一方、図１及び図２の実施形態においては、折目線２３は、頂部パネル１８の中央に配置されるように、折目線１７と折目線１９との間で実質的に等距離に配置される。第２係止タブ１２４は、ディスプレイウィンドウＷを通じてカートン１９０の内側へ折り曲げられる。
【００７５】
図５は、図示された第３実施形態によって、カートン（図示せず）を形成するブランク２１０を図示したものである。
【００７６】
ブランク２１０は、複数のメインパネル２１２、２１４、２１６、２１８、２２０を備え、これら複数のメインパネル２１２、２１４、２１６、２１８、２２０は、組み立て後は、オープンエンドの管状構造体を形成する。
【００７７】
ブランク２１０は、折目線２１３によって底部パネル２１４にヒンジ式に結合された固定パネル２１２を備える。底部パネル２１４は、折目線２１５によって第１側部パネル２１６にヒンジ式に結合されている。第１側部パネル２１６は、折目線２１７によって頂部パネル２１８にヒンジ式に結合されている。頂部パネル２１８は、折目線２１９によって第２側部パネル２２０にヒンジ式に結合されている。
【００７８】
ブランク２１０は、ディスプレイウィンドウＷを形成するための構造体を備える。ディスプレイウィンドウ構造体は、第１側部パネル２１６から打ち抜かれた第１開口Ａ１を備える。
【００７９】
ディスプレイウィンドウＷは、第１側部パネル２１６から打ち抜かれる第１ウィンドウフラップ２３２ａを備える。第１ウィンドウフラップ２３２ａは、第１側部パネル２１６にわたって延在し、第１ウィンドウフラップ２３２ａは、底部パネル２１４と第１側部パネル２１６との間の折目線２１５から、頂部パネル２１８と第１側部パネル２１６との間の折目線２１７まで延在している。第１ウィンドウフラップ２３２ａは、第１折目線２３３ａによって第１側部パネル２１６とヒンジ式に結合されている。第１カットライン２４１ａは、第１折目線２３３ａの下方端部である第１端部に配置される。第１カットライン２４１ａは、第１折目線２３３ａの第１端部と、折目線２１５との間で延在している。第２カットライン２４３ａは、第１折目線２３３ａの上方端部である第２端部に配置される。第２カットライン２４３ａは、第１折目線２３３ａの第２端部と、折目線２１７との間で延在している。第１折目線２３３ａ、第１カットライン２４１ａ及び第２カットライン２４３ａは共に、折目線２１５と折目線２１７との間で延在するように、第１側部パネル２１６にわたって延在している。好適には、第１折目線２３３ａは直線でなく、図示された実施形態においては、第１折目線２３３ａは弧状形状である。別の実施形態においては、第１折目線２３３ａは、同程度に延在して配置され且つ互いに角度をなすように配置された２つ以上の直線区間から形成されることが可能である。
【００８０】
ディスプレイウィンドウＷは、第１側部パネル２１６から打ち抜かれる第２ウィンドウフラップ２３２ｂを備える。第２ウィンドウフラップ２３２ｂは、第１側部パネル２１６にわたって延在し、第２ウィンドウフラップ２３２ｂは、底部パネル２１４と第１側部パネル２１６との間の折目線２１５から、頂部パネル２１８と第１側部パネル２１６との間の折目線２１７まで延在している。第２ウィンドウフラップ２３２ｂは、第２折目線２３３ｂによって第１側部パネル２１６とヒンジ式に結合されている。第３カットライン２４１ｂは、第２折目線２３３ｂの下方端部である第１端部に配置される。第３カットライン２４１ｂは、第２折目線２３３ｂの第１端部と、折目線２１５との間で延在している。第４カットライン２４３ｂは、第２折目線２３３ｂの上方端部である第２端部に配置される。第４カットライン２４３ｂは、第２折目線２３３ｂの第２端部と、折目線２１７との間で延在している。第２折目線２３３ｂ、第３カットライン２４１ｂ及び第４カットライン２４３ｂは共に、折目線２１５と折目線２１７との間で延在するように、第１側部パネル２１６にわたって延在している。好適には、第２折目線２３３ｂは直線でなく、図示された実施形態においては、第２折目線２３３ｂは弧状形状である。別の実施形態においては、第２折目線２３３ｂは、同程度に延在して配置され且つ互いに角度をなすように配置された２つ以上の直線区間から形成されることが可能である。
【００８１】
ブランク２１０は、底部パネル２１４から部分的に打ち抜かれ、且つ第１側部パネル２１６から部分的に打ち抜かれ、且つ第１ウィンドウフラップ２３２ａ及び第２ウィンドウフラップ２３２ｂのそれぞれから部分的に打ち抜かれた、第１係止タブ２２２を備える。第１係止タブ２２２は、折目線２２１によって底部パネル２１４とヒンジ式に結合されている。第１係止タブ２２２は、第１係止タブ２２２の直線的な第１縁部に沿って、底部パネル２１４とヒンジ式に結合されている。第１係止タブ２２２は、実質的に第１縁部の反対側に配置された弧状の第２縁部を備える。折目線２２１は、折目線２１３と平行に方向付けられている。このように、第１係止タブ２２２は、カートンを横切るように横方向に折り曲げ可能である。第１係止タブ２２２は、ディスプレイウィンドウＷの一部を形成する。第１係止タブ２２２と底部パネル２１４との間のヒンジ式結合は、折目線２１３よりも折目線２１５に近接するように配置される。一方、図１及び図２の実施形態においては、折目線２１は、底部パネル１４の中央に配置されるように、折目線１５と折目線１３との間で実質的に等距離に配置される。第１係止タブ２２２は、ディスプレイウィンドウＷを通じてカートンの内側へ折り曲げられる。
【００８２】
ブランク２１０は、頂部パネル２１８から部分的に打ち抜かれ、且つ第１側部パネル２１６から部分的に打ち抜かれ、且つ第１ウィンドウフラップ２３２ａ及び第２ウィンドウフラップ２３２ｂのそれぞれから部分的に打ち抜かれた、第２係止タブ２２４を備える。第２係止タブ２２４は、折目線２２３によって頂部パネル２１８とヒンジ式に結合されている。第２係止タブ２２４は、第２係止タブ２２４の直線的な第１縁部に沿って、頂部パネル２１８とヒンジ式に結合されている。第２係止タブ２２４は、実質的に第１縁部の反対側に配置された弧状の第２縁部を備える。折目線２２３は、折目線２１９と平行に方向付けられている。このように、第２係止タブ２２４は、カートンを横切るように横方向に折り曲げ可能である。第２係止タブ２２４は、ディスプレイウィンドウＷの一部を形成する。第２係止タブ２２４と頂部パネル２１８との間のヒンジ式結合は、折目線２１９よりも折目線２１７に近接するように配置される。一方、図１及び図２の実施形態においては、折目線２３は、頂部パネル１８の中央に配置されるように、折目線１７と折目線１９との間で実質的に等距離に配置される。第２係止タブ２２４は、ディスプレイウィンドウＷを通じてカートンの内側へ折り曲げられる。
【００８３】
ブランク２１０の第１開口Ａ１は、第１ウィンドウフラップ２３２ａ及び第２ウィンドウフラップ２３２ｂによって部分的に画定され、係止タブ２２２、２２４によって部分的に画定される。第１ウィンドウフラップ２３２ａ、第２ウィンドウフラップ２３２ｂ、第１係止タブ２２２、及び第２係止タブ２２４が、それぞれ折目線２３３ａ、２３３ｂ、２２１、及び２２３についてカートンの内側へ折り曲げられると、ブランク２１０の第１開口Ａ１が完全に形成される。第１開口Ａ１が完全に形成されると、第１開口Ａ１の対向する側縁部の一方が、折目線２３３ａによって少なくとも部分的に画定され、同時に第１開口Ａ１の側縁部の他方は、折目線２３３ｂによって少なくとも部分的に画定される。結果として、第１開口Ａ１は、完全に形成されると、折目線２３３ａと折目線２３３ｂの間で水平方向に延在する。第１開口Ａ１が完全に形成されると、第１開口Ａ１の上側縁部が折目線２２３によって画定され、同時に第１開口Ａ１の下側縁部は折目線２２１によって画定される。結果として、第１開口Ａ１は、折目線２２１と折目線２２３の間で鉛直方向に延在する。
【００８４】
図６は、図示された第４実施形態によって、カートン（図示せず）を形成するブランク３１０を図示したものである。
【００８５】
ブランク３１０は、複数のメインパネル３１２、３１４、３１６、３１８、３２０を備え、これら複数のメインパネル３１２、３１４、３１６、３１８、３２０は、組み立て後は、オープンエンドの管状構造体を形成する。
【００８６】
ブランク３１０は、折目線３１３によって底部パネル３１４にヒンジ式に結合された固定パネル３１２を備える。底部パネル３１４は、折目線３１５によって第１側部パネル３１６にヒンジ式に結合されている。第１側部パネル３１６は、折目線３１７によって頂部パネル３１８にヒンジ式に結合されている。頂部パネル３１８は、折目線３１９によって第２側部パネル３２０にヒンジ式に結合されている。
【００８７】
ブランク３１０は、ディスプレイウィンドウを形成するための構造体を備える。ディスプレイウィンドウ構造体は、第１側部パネル３１６から打ち抜かれた第１開口Ａ１を備える。ブランク３１０は、偶数個の缶を収容するように構成されている。一方、これまでの実施形態は、奇数個の缶を収容するように構成されていた。ディスプレイウィンドウ構造体は、第１側部パネル３１６内に中心からずれるように配置される。一方、これまでの実施形態においては、ディスプレイウィンドウ構造体は、カートンの長手方向において、第１側部パネル１６、１１６、２１６内に中央に配置される。
【００８８】
本発明の範囲内で、様々な変更を施すことが可能であることが理解できる。例えば、パネル及び開口の大きさ及び形状は、異なる大きさ又は形状の物品を収容するように調整されてもよい。別の実施形態においては、２列以上の物品を収容するようにカートンを構成することができ、カートンは、カートンの両側に設けられたディスプレイウィンドウを備え、物品がそれぞれのディスプレイウィンドウを通じて挿入される。そのようないくつかの実施形態では、複数のディスプレイウィンドウが、カートンの長手方向において互いにずらされてもよい。
【００８９】
さらに他の実施形態において、複数の物品を収容するようにカートンを構成することができる。カートンは、カートンの同じ側又は異なる側に２つ以上のディスプレイウィンドウを備え、それぞれのディスプレイウィンドウは、複数の物品の内の１つを受け入れるためのものである。
【００９０】
本明細書で用いられているように、「頂部（top）」、「底部（bottom）」、「前（front）」、「後ろ（back）」、「端部（end）」、「側部（side）」、「内側（inner）」、「外側（outer）」、「上側（upper）」、及び「下側（lower）」といった方向に関する言及は、必ずしも各パネルがこのように方向付けられていると限定するものではなく、単にこれらのパネルを互いに区別するのに役立つものであってよいことは認識されるであろう。
【００９１】
本明細書で用いられているように、「ヒンジ式結合」及び「折目線」との用語は、ブランクのヒンジ機構を定め、又はブランクの一部を互いに対して折り曲げるのを容易にし、又はその他の方法でブランクのパネルを折り曲げる最適位置を示す、あらゆる種類の線をいう。折目線は、典型的には、スコア線、エンボス線、又はデボス線である。「ヒンジ式結合」又は「折目線」についての任意の言及は、必ずしも単一の折目線のみを指しているものとして解するべきではない。実際、ヒンジ式結合は、ショートスリット（a short slit）、フランジブルライン（a frangible line）、又は本発明の範囲を逸脱しない折目線の内の任意の１つ以上から形成することができる。
【００９２】
本明細書で用いられているように、「切断線（severance line）」との用語は、基材の一部を互いに切り離すのを容易にする、又は切り離す最適位置を示す、あらゆる種類の線をいう。切断線は、フランジブルライン又はその他の方法で脆弱線、引裂線（tear lines）、カットライン、又はスリットであってよい。
【００９３】
ヒンジ式結合、切断線、及び折目線それぞれは、穿孔（perforations）、ミシン目（a line of perforations）、ショートスリットライン（a line of short slits）、ハーフカッツライン（a line of half-cuts）、シングルハーフカットライン（a single half-cut）、カットライン、インターラプテッドカットライン（an interrupted cut line）、スリット、スコア、及びこれらの任意の組み合わせ等を含む、ブランクの基材に形成される要素を含むことができるということが理解されるべきである。これらの要素は、所望の機能が得られるように寸法付けされ、且つ、配置され得る。例えば、ミシン目は、折目線及び／又は切断線を画定する程度の脆弱性を有するように寸法付けされる、又は設計され得る。ミシン目は、容易に折り曲げられ且つ耐破断性を有するように、容易に折り曲げられ且つより力を加えれば容易に破断されるように、又は、ほぼ力を加えずとも容易に破断されるように、設計され得る。
【００９４】
「〜と位置合わせされ（in registry with 〜）」との語句は、本明細書で用いられているように、例えば、２つの重なり合ったパネルの第１パネルに形成された開口と、２つの重なり合ったパネルの第２パネルに形成された第２開口のように、起こされたカートンにおいて２つ以上の要素が整列していることをいう。互いに位置合わせされたこれらの要素は、重なり合ったパネルの厚さ方向に互いに整列されてもよい。例えば、第１パネルの開口が、第１パネルと重なり合った配置で位置付けされた第２パネルの第２開口「と位置合わせされ」る場合、開口の縁部が第２開口の縁部の少なくとも一部に沿って延在してもよく、第１パネル及び第２パネルの厚さ方向において第２開口と整列されてもよい。
【符号の説明】
【００９５】
１０、１１０、２１０、３１０  ブランク
１２、１１２、２１２、３１２  固定パネル
１３、１５、１７、１９、２１、２３、２７、２９、３１、３３、１１３、１１５、１１７、１１９、１２１、１２３、１２７、１２９、１３１、１３３、２１３、２１５、２１７、２１９、２２１、２２３、２２７、２２９、２３１、２３３、３１３、３１５、３１７、３１９、３２１、３２３、３２７、３２９、３３１、３３３  折目線
１４、１１４、２１４、３１４  底部パネル
１６、１１６、２１６、３１６  第１側部パネル
１８、１１８、２１８、３１８  頂部パネル
２０、１２０、２２０、３２０  第２側部パネル
２２、１２２、２２２、３２２  第１係止タブ
２４、１２４、２２４、３２４  第２係止タブ
２６ａ  第１固定タブ
２６ｂ  第２固定タブ
２８ａ  第３固定タブ
２８ｂ  第４固定タブ
３０ａ  第１バイアスタブ
３０ｂ  第２バイアスタブ
３２ａ、１３２ａ、２３２ａ、３３２ａ  第１ウィンドウフラップ
３２ｂ、１３２ｂ、２３２ｂ、３３２ｂ  第２ウィンドウフラップ
４１ａ、１４１ａ、２４１ａ  第１カットライン
４１ｂ、１４１ｂ、２４１ｂ  第３カットライン
４３ａ、１４３ａ、２４３ａ  第２カットライン
４３ｂ、１４３ｂ、２４３ｂ  第４カットライン
９０、１９０、２９０、３９０  カートン
【図１】
2015058968.tif 000003
【図２】
2015058968.tif 000004
【図３】
2015058968.tif 000005
【図４】
2015058968.tif 000006
【図５】
2015058968.tif 000007
【図６】
2015058968.tif 000008
【外国語明細書】
2015058968000001.pdf